(57)【要約】      （修正有）【課題】フローリスト養成の場における生徒でも調和のとれたバランス感覚あふれるブーケを容易かつ短時間に効率よく作製できるワイヤリングブーケを提供する。【解決手段】合成樹脂で成る花、葉、実などをワイヤリングして形成された花材２のステムは、ブーケスタンド３に一本ごとにアレンジされ差し込まれ、所定数の花材が差し込まれた状態のステムの集合部５ａは、ブーケスタンド３から引き抜かれ結束手段を用いて結束される。【選択図】図２
0003160884.tif 000002
【実用新案登録請求の範囲】
【請求項１】
合成樹脂で成る花、葉、実などをワイヤリングして形成された花材（パーツ）のステムを、ブーケスタンドに一本ごとにアレンジしながら差し込み、所定数の花材が差し込まれた状態のステムの集合部を前記ブーケスタンドから引き抜いて結束手段を用いて結束することでブーケを構成することを特徴とするワイヤリングブーケ。
【請求項２】
前記ブーケスタンドの上端開口縁に凹凸を形成したことを特徴とする請求項１記載のワイヤリングブーケ。
【請求項３】
前記ブーケスタンドの上端開口縁が斜めにカットして形成される傾斜面を有することを特徴とする請求項１記載のワイヤリングブーケ。
【考案の詳細な説明】
【技術分野】
【０００１】
本考案は花材を両手を使って全体のバランスを調整しながらアレンジメントを行なうことで作製を容易に行えるワイヤリングブーケに関する。
【背景技術】
【０００２】
従来、ブーケを作成する際、主として正面および側面、あるいはどの面からみても美しく見えることが考慮される。係る技術を示すものとして例えば特許文献１記載の技術が公知である。係る特許文献１にはブーケ材、すなわち花材(「パーツ」ともいう)に芯材を束ねて「芯入りガーランド」を作製し、さらに芯入りガーランドをコアとして複数のガーランドを束ね、結束部でワイヤによって束を締め付けることでブーケを完成する技術が開示されている。このように、特許文献１に記載の技術は「芯材」を添えることでガーランドを補強しているので、特定の面が正面あるいは背面となることがなく、どの方向からみても美しくみえるブーケが作製できるものである。
【先行技術文献】
【特許文献】
【０００３】
特許文献１  特開２００６−９１６４号公報
【考案の概要】
【考案が解決しようとする課題】
【０００４】
しかしながら、前述の如く、上記特許文献１に記載のブーケにあっては、例えば図５に示すように、片方の手(図示では左手)Ｈに花材Ｍを持ちながら、順次空いたもう片方の手（右手）で花材Ｍや不図示の芯材などをアレンジ(位置決め)していかなければならない。すなわち、両手を使うのではなく片手でアレンジするため側面へ花材をバランス良く配置していくことが困難となり、また、近視的にアレンジをする関係から遠く離れた位置から全体の調和をみながらアレンジできないのでバランスあるブーケを作製するのが困難となっていた。このことは例えば、日本アーティフィシャルフラワー協会におけるアーティフィシャルフローリストの養成における生徒にとっても熟練を要し、その結果、効率よくワイヤリングブーケを作製するのが困難であった。
【０００５】
本考案は、斯かる実情に鑑み、片手で終始花材を持ちながらブーケを作製する状態から解放され、両手を使ってワイヤリングブーケを見栄え良く作製でき、フローリスト養成の場における生徒でも調和のとれたバランス感覚あふれるブーケを容易かつ短時間に効率よく作製できるワイヤリングブーケを提供しようとするものである。
【課題を解決するための手段】
【０００６】
上記の課題を解決するために、以下に示すような手段を講じることとした。すなわち、
(１)本考案は、合成樹脂で成る花、葉、実などをワイヤリングして形成された花材（パーツ）のステムを、ブーケスタンドに一本ごとにアレンジしながら差し込み、所定数の花材が差し込まれた状態のステムの集合部を前記ブーケスタンドから引き抜いて結束手段を用いて結束することでブーケを構成することを特徴とするワイヤリングブーケである。
本考案によれば、何十パーツもの花、葉、実などをあしらった花材をメインとなる花材の隙間に一本ずつブーケスタンドに差し込んでアレンジしていく。このとき、従来のように片手(右手)だけでなく自由となった左手の両手を使うことができる。そのため、遠くから眺めながらブーケの全体デザインを工夫しながら各パーツの配置具合を調整していくことができる。そして、差し込まれた状態のステムの集合部をブーケスタンドから引き抜き、テープ(フローラルテープ)や金属線で形成したワイヤなどの結束手段を用いて結束することでハンドル部分(把持部分)を形成する。こうして構成されたワイヤリングブーケは、アーティフィシャルフローリストを養成する際の生徒にとって比較的熟練を要することなく作製を指導することが可能になる。また、両手を使ってブーケをアレンジしながら作製できるので、バランスのとれた見栄えの良いワイヤリングブーケを得ることができるようになる。
【０００７】
(２)本考案はまた、前記ブーケスタンドの上端開口縁に凹凸を形成したことを特徴とする前記(１)記載のワイヤリングブーケを用いることもできるものである。
本考案によれば、ブーケスタンドの上端開口縁凹凸を形成することにより、各花材(パーツ)のステムが引っ掛かるようにしているので、花材の仮り位置決めを行うことができる。このため、花材のアレンジメントを安定した状態で行え、より一層デザイン性に優れたワイヤリングブーケの作製に便となる。
【０００８】
(３)本考案はまた、前記ブーケスタンドの上端開口縁が斜めにカットして形成される傾斜面を有することも特徴とすることができる。
本考案によれば、傾斜面がブーケの作製者側に向くようにブーケスタンドを置いて花材をアレンジしていくことができる。このため、フォーカルポイントの周りに花材を角度調整してアレンジしていくことができ、見る者に視覚的、デザイン性に優れたワイヤリングブーケを得ることができるようになる。
上記手段によれば、以下のような作用が得られる。
【考案の効果】
【０００９】
本考案の請求項１〜３記載のワイヤリングブーケによれば、両手を使ってブーケスタンドに花材を差し込むことで、遠く離れた視点から眺めて全体の調和を図りながらアレンジでき、アーティフィシャルフローリストの養成スクールでの生徒に対する技術指導の際における生徒のスキル取得の効率化を図れ、さらに左手も使って作製できるので、結果としてデザイン全体を考慮しながら、パーツの配置を調整していくことでデザイン性に優れたワイヤリングブーケを作製できる効果を奏しうる。
【図面の簡単な説明】
【００１０】
【図１】本考案におけるワイヤリングブーケの作製に使用されるブーケスタンドの例を示す外観図である。
【図２】おなじく、図１(ａ)のブーケスタンドを使用して花材をアレンジする状態を説明する外観図である。
【図３】おなじく、ブーケスタンドから引き抜かれたブーケにテーピングする状態を説明する外観図である。
【図４】おなじく、完成されたワイヤリングブーケの外観図である。
【図５】従来のブーケを作製する状態を説明する外観図である。
【考案を実施するための形態】
【００１１】
以下、本考案の実施の形態を添付図面を参照して説明する。
図１(ａ)、図２〜図４において、ワイヤリングブーケ１を構成する要素である花材２は、花、葉、実などをあしらって適宜ワイヤリングを施して形成された自体公知のもので、その概要は種々の花材２を複数本用い、花材２のステム２ａを集約して束ねることにより構成される。以下、より具体的に説明していく。
【００１２】
花材２は例えば合成樹脂、織布などを用いて形成される造花である。また、花材は例えば、全長が２０〜５０ｃｍ、花径が２〜５ｃｍのものが好ましい。花材２には生花を用いるものとは異なり、保水処理を考慮する必要がなく、したがって保存性に優れ、軽量で、色彩も経年変化により退色しがたいものとなっており、その取り扱いが簡便となっている。
【００１３】
ワイヤリングブーケ１は図１(ａ)に示す展示用のブーケスタンド３を使用して行われる。すなわち、このブーケスタンド３は例えば透明のアクリル樹脂材で形成され、高さが約６０ｃｍ、内径が約３０ｍｍ程度の円筒体に形成されたものを用いるのが好ましいが、勿論この寸法に限定されないことは言うまでもない。ブーケスタンド３の下部には台座４が取り付けられ、ブーケスタンド３の直立が安定して確保できるようにしている。
【００１４】
ワイヤリングブーケ１を制作するには図２に示すように、花材２、すなわちステム２ａをブーケスタンド３に上端開口縁３ａから差し込んで行われる。中心となるメインの花材２の隙間を埋めていくように他の花材２を差し込んでいく。このとき、ブーケ全体のバランスをみながら正面だけでなく側面からも眺めて立体的にバランス良い形状となるようにアレンジメントしていく。
【００１５】
ブーケスタンド３に何十パーツもの所定数の花材２が差し込まれ、ブーケ５の体裁が整ったところでブーケ５のステム集合部５ａをブーケスタンド３から上方へ取り出す。取り出した花材２のステム集合部５ａを図３に示すように、両面に粘着力(接着力)あるフローラルテープ６で結束していき、適宜の長さの所でステム集合部５ａをカットする。こうして、図４に示されるワイヤリングブーケ１の作製が完成する。
【００１６】
換言すると、メインとなる花材２周囲の隙間に一本づつ花材をブーケスタンドに差し込んでアレンジしていく。右手だけでなく左手も使かうことができる。そのため、遠くからブーケ５を眺めながらブーケ５の全体デザインの調子をみながら各パーツの配置具合を調整していくことができる。そして、差し込まれた状態のステム２ａの集合部５ａをブーケスタンド３から引き抜き、テープ(フローラルテープ)６で巻き付けて結束することで、テーピングされた部分がハンドル部分(把持部分)とするワイヤリングブーケ１が作製される。
【００１７】
こうして構成される本実施の形態に係るワイヤリングブーケ１によれば、両手を使ってブーケ５をアレンジしながら見栄え良く作製できるので、バランスのとれたワイヤリングブーケ１を得ることができる。またアーティフィシャルフローリストを養成する際の生徒にとっては、比較的熟練を要することなく作製を指導することが可能になる。さらに、上記ワイヤリングブーケ１によれば、花材は造花であるため、花材を下方へ長く垂れ下がるようにアレンジしても水が滴る事態がなく、花材単体が軽量化されているため長い枝も自由に組み合わせることができ、豪華なワイヤリングブーケを作製することも可能となる。
【００１８】
なお、本考案のワイヤリングブーケ１は、上記した実施の形態に限定されるものではなく、本考案の要旨を逸脱しない範囲内において種々変更を加え得ることができるのは勿論である。
【００１９】
上記実施の形態ではステムの集合部５ａを結束手段としてのフローラルテープ６が用いられたが、この代わりに金属のワイヤで結束し、あるいはワイヤで巻いた後からフローラルテープ６でテーピングする態様とすることも可能である。
【００２０】
また、図１(ｂ)に示すようにブーケスタンド３の上端開口縁に、凹凸３ｂを形成したものを用いてもよい。これにより、アレンジメント作業において花材のステムを凹凸３ｂに係合するので花材の安定性が向上し、アレンジメント作業の効率化が図れる。
【００２１】
また、図１(ｃ)のように、ブーケスタンド３の上端開口縁が斜めにカットして形成される傾斜面３ｃを有するブーケスタンド３を使用してもよい。これにより、傾斜面３ｃがブーケ５を作製する者に向くようにブーケスタンド３を置いて花材２をアレンジしていくことができる。このため、フォーカルポイントの周りに花材を角度調整してアレンジしていくことができ、見る者に視覚的、デザイン性に優れたワイヤリングブーケを得ることができるようになる。
【産業上の利用可能性】
【００２２】
本考案はフローリスト養成の場における生徒でも調和のとれた見栄えのよいワイヤリングブーケの作製に利用可能である。
【符号の説明】
【００２３】
１  ワイヤリングブーケ
２  花材
２ａ  ステム
３  ブーケスタンド
３ａ  上端開口部
３ｂ  凹凸
３ｃ  傾斜面
４  台座
５  ブーケ
５ａ  ステム集合部
６  フローラルテープ(結束手段)
【図１】
0003160884.tif 000003
【図２】
0003160884.tif 000004
【図３】
0003160884.tif 000005
【図４】
0003160884.tif 000006
【図５】
0003160884.tif 000007
【手続補正書】
【提出日】平成22年5月7日(2010.5.7)
【手続補正１】
【補正対象書類名】実用新案登録請求の範囲
【補正対象項目名】全文
【補正方法】変更
【補正の内容】
【実用新案登録請求の範囲】
【請求項１】
合成樹脂で成る花、葉、実などをワイヤリングして形成された花材のステムは、ブーケスタンドに一本ごとにアレンジされて差し込まれ、
所定数の花材が差し込まれた状態のステムの集合部は、前記ブーケスタンドから引き抜かれ結束手段を用いて結束されてなることを特徴とするワイヤリングブーケ。
【請求項２】
前記ブーケスタンドの上端開口縁に凹凸を形成したことを特徴とする請求項１記載のワイヤリングブーケ。
【請求項３】
前記ブーケスタンドの上端開口縁が斜めにカットして形成される傾斜面を有することを特徴とする請求項１記載のワイヤリングブーケ。
【手続補正２】
【補正対象書類名】明細書
【補正対象項目名】０００２
【補正方法】変更
【補正の内容】
【０００２】
従来、ブーケを製作する際、主として正面および側面、あるいはどの面からみても美しく見えることが考慮される。係る技術を示すものとして例えば特許文献１記載の技術が公知である。係る特許文献１にはブーケ材、すなわち花材に芯材を束ねて「芯入りガーランド」を製作し、さらに芯入りガーランドをコアとして複数のガーランドを束ね、結束部でワイヤによって束を締め付けることでブーケを完成する技術が開示されている。このように、特許文献１に記載の技術は「芯材」を添えることでガーランドを補強しているので、特定の面が正面あるいは背面となることがなく、どの方向からみても美しくみえるブーケが作製できるものである。
【手続補正３】
【補正対象書類名】明細書
【補正対象項目名】０００４
【補正方法】変更
【補正の内容】
【０００４】
上記の課題を解決するために、以下に示すような手段を講じることとした。すなわち、
(１)    
本考案のワイアリングブーケにおいては、合成樹脂で成る花、葉、実などをワイヤリングして形成された花材のステムは、ブーケスタンドに一本ごとにアレンジされて差し込まれ、そして、
所定数の花材が差し込まれた状態のステムの集合部は、前記ブーケスタンドから引き抜かれ結束手段を用いて結束されてなることを特徴とするワイヤリングブーケである。
本考案によれば、何十パーツもの花、葉、実などをあしらった花材をメインとなる花材の隙間に一本づつブーケスタンドに差し込んでアレンジしていく。このとき、従来のように片手(右手)だけでなく自由となった左手の両手を使かうことができる。そのため、遠くから眺めながらブーケの全体デザインを工夫しながら各パーツの配置具合を調整していくことができる。そして、差し込まれた状態のステムの集合部をブーケスタンドから引き抜き、テープ(フローラルテープ)や金属線で形成したワイヤなどの結束手段を用いて結束することでハンドル部分(把持部分)を形成する。こうして構成されたワイヤリングブーケは、アーティフィシャルフローリストを養成する際の生徒にとって比較的熟練を要することなく作製を指導することが可能になる。また、両手を使ってブーケをアレンジしながら作製できるので、バランスのとれた見栄えの良いワイヤリングブーケを得ることができるようになる。
【手続補正４】
【補正対象書類名】明細書
【補正対象項目名】０００５
【補正方法】変更
【補正の内容】
【０００５】
(２)本考案はまた、前記ブーケスタンドの上端開口縁に凹凸を形成したことを特徴とする前記(１)記載のワイヤリングブーケである。
本考案によれば、ブーケスタンドの上端開口縁に形成した凹凸により、各花材のステムが引っ掛かるようにしているので、花材の仮り位置決めを行うことができる。このため、花材のアレンジメントを安定した状態で行え、より一層デザイン性に優れたワイヤリングブーケの製作に便となる。